(57)【要約】【課題】紙詰まりが発生した場合の対処をユーザーが迅速かつ適正に認識することができる画像形成装置を得る。【解決手段】給紙ローラー１３の近傍、転写ローラー１６の近傍、定着ローラー２１の近傍、排出ローラー２２の近傍、原稿搬送ローラー６３の近傍に、それぞれエラー表示部７０Ａ、７０Ｂ、７０Ｃ、７０Ｄ、７０Ｅがそれぞれ設置されている。給紙ローラー１３の近傍で紙詰まりが発生して動作が停止した場合に、エラー表示部７０Ａが点灯する。その後、ユーザーは、エラー表示部７０Ａに隣接するＩＣタグ７１Ａと自身が保持する携帯端末との間で近距離通信を行い、ＩＣタグ７１Ａから対処情報を入手することができる。ユーザーは、携帯端末の端末表示部を用いて入手した対処情報を閲覧することができ、これに従って紙詰まりの処理を行うことができる。【選択図】図２
2020047987.tif 000002
【特許請求の範囲】
【請求項１】
媒体を搬送し、当該媒体に画像を形成して出力する、あるいは当該媒体に形成された画像を読み取る機能を具備する画像処理装置であって、
前記媒体の搬送経路中で設定された複数の領域毎に、紙詰まりが発生したか否かを認識する制御部と、
複数の前記領域に対応して複数設けられ、対応する前記領域に近接して設置され、対応する前記領域で紙詰まりが発生した場合に警報を発するエラー表示部と、
前記エラー表示部と対応して複数設けられ、対応する前記エラー表示部に近接して設置され、対応する前記領域に前記紙詰まりが発生した場合の対処法を示す対処情報を近距離無線通信により送信可能とされた無線通信タグと、
を具備することを特徴とする画像処理装置。
【請求項２】
前記無線通信タグは、外部との間の有線での接続を有さず、貼付されて設置されたＮＦＣタグであることを特徴とする請求項１に記載の画像処理装置。
【請求項３】
前記無線通信タグは、前記対処情報を記憶する不揮発性メモリで構成されたタグ記憶部を具備し、
全ての前記無線通信タグにおいて、記憶された前記対象情報以外の構成が共通とされたことを特徴とする請求項２に記載の画像処理装置。
【請求項４】
全ての前記領域における前記対処情報を記憶する記憶部と、
前記対処情報を表示する表示部と、
を具備することを特徴とする請求項１から請求項３までのいずれか１項に記載の画像処理装置。
【請求項５】
前記エラー表示部及び前記無線通信タグの組み合わせが、設定された複数の前記領域の全てにおいて、前記領域と１対１に対応して設けられたことを特徴とする請求項１から請求項４までのいずれか１項に記載の画像処理装置。
【請求項６】
前記エラー表示部と前記無線通信タグの組み合わせの数が、設定された複数の前記領域の数よりも少なくされたことを特徴とする請求項１から請求項４までのいずれか１項に記載の画像処理装置。
【請求項７】
前記制御部は、
前記紙詰まりが発生した際に、前記紙詰まりが発生したと認識された前記領域に応じて、前記警報を発する前記エラー表示部を設定することを特徴とする請求項６に記載の画像処理装置。
【請求項８】
前記制御部は、
前記警報を発する前記エラー表示部として、前記紙詰まりが発生したと認識された前記領域に最も近い距離にある前記エラー表示部を設定することを特徴とする請求項７に記載の画像処理装置。
【発明の詳細な説明】
【技術分野】
【０００１】
本発明は、媒体を搬送して画像を形成して出力する、あるいは原稿を搬送してこの原稿に形成されている画像を読み取る画像処理装置に関する。
【背景技術】
【０００２】
画像形成装置（プリンター）においては、用紙トレイ（給紙部）中に収容された多数の媒体（用紙）が１枚ずつ搬送され、その表面に例えばトナーのパターンが形成された後で定着のために高温で加圧されることによって印刷が行われた後に、排紙部に排出される。
【０００３】
このような印刷動作が正常に行われない（エラーが発生した）場合には、その具体的な内容や対処法をエラー情報として表示してユーザーに知らせることが必要となる。これを見たユーザーは、このエラーに対する処置を行った上で、印刷動作を再開させることができる。画像形成装置に設けられユーザーによる操作のために用いられる表示部（ディスプレイ）で、このようなエラー情報を表示させることができる。
【０００４】
しかしながら、一般的には、画像形成装置に用いられる表示部は、ユーザーがこの画像形成装置を操作するために必要最小限の情報をわかりやすく表示できるように設定されており、例えばパーソナルコンピューターや携帯端末等で用いられるディスプレイと比べて面積は小さく、かつ、表示を拡大するような機能も設定されていない場合が多い。このため、この表示部は、多くの多様な情報を表示できるような設計とはされておらず、この表示部のみを用いてユーザーがその対処法まで認識することは容易ではない。
【０００５】
このため、例えば、特許文献１には、このようなエラー情報に対応させた２次元コードを表示部に表示させる画像形成装置が記載されている。この場合には、ユーザーは、携帯端末でこの２次元コードを撮像し、携帯端末側でこの２次元コードに対応したエラー情報を認識することができる。その後、ユーザーは、このエラー情報の詳細を携帯端末のディスプレイを用いて確認することができる。この場合には、例えばユーザーが表示を拡大して見ることも可能である。また、表示部は画像形成装置におけるある１箇所に固定されているため、ユーザーがエラーが発生した箇所とこの表示部とを同時に視野に入れることは一般的には困難であるのに対して、ユーザーは携帯端末を任意の位置、体勢で見ることができるため、携帯端末を見ながらエラーの対処をすることができる。このため、エラーが発生した際の、その内容の把握や対処がユーザーにとって容易となる。
【先行技術文献】
【特許文献】
【０００６】
【特許文献１】特開２００７−２４５５９１号公報
【発明の概要】
【発明が解決しようとする課題】
【０００７】
画像形成装置において発生するエラーの中でも、特に用紙や原稿の搬送エラーである紙詰まりは、最も発生する頻度が高い。また、特に、大型かつ多機能の画像形成装置においては、用紙トレイから排紙部に至るまでの用紙の搬送経路は特に長く複雑となる。原稿を読み取る場合においても、その搬送経路は長くなる。
【０００８】
このため、紙詰まりが発生した場合には、特に紙詰まりが発生した箇所を認識し、この箇所毎に適切な対処法を認識することが重要となる。これに対して、特許文献１に記載の技術において携帯端末の表示部を用いた場合でも、ユーザーがこの箇所を適切に認識し、その対処法を適切に認識するまでには、時間を要した。すなわち、紙詰まりが発生した場合の対処をユーザーが迅速かつ適正に認識することは困難であった。
【０００９】
このため、紙詰まりが発生した場合の対処をユーザーが迅速かつ適正に認識することができる画像形成装置が望まれた。
【００１０】
本発明はこのような状況に鑑みてなされたものであり、上記課題を解決できる技術を提供することを目的とする。
【課題を解決するための手段】
【００１１】
本発明の画像処理装置は、媒体を搬送し、当該媒体に画像を形成して出力する、あるいは当該媒体に形成された画像を読み取る機能を具備する画像処理装置であって、前記媒体の搬送経路中で設定された複数の領域毎に、紙詰まりが発生したか否かを認識する制御部と、複数の前記領域に対応して複数設けられ、対応する前記領域に近接して設置され、対応する前記領域で紙詰まりが発生した場合に警報を発するエラー表示部と、前記エラー表示部と対応して複数設けられ、対応する前記エラー表示部に近接して設置され、対応する前記領域に前記紙詰まりが発生した場合の対処法を示す対処情報を近距離無線通信により送信可能とされた無線通信タグと、を具備することを特徴とする。
【発明の効果】
【００１２】
上記の構成により、紙詰まりが発生した場合の対処をユーザーが迅速かつ適正に認識することができる画像形成装置を得ることができる。
【図面の簡単な説明】
【００１３】
【図１】本発明の実施の形態に係る画像処理装置の外観斜視図である。
【図２】本発明の実施の形態に係る画像処理装置の構造を示す透視図である。
【図３】本発明の実施の形態に係る画像処理装置における制御の構成を示す図である。
【図４】本発明の実施の形態に係る画像処理装置において用いられるＩＣタグの構成を示す図である。
【発明を実施するための形態】
【００１４】
以下、本発明を実施の形態に係る画像処理装置について説明する。図１は、この画像処理装置（画像形成装置）１の外観斜視図、図２はこの画像形成装置１の正面から見た透視図である。この画像形成装置１は複合機であり、用紙（媒体）に画像を形成して出力する印刷機能と、原稿に形成された画像を読み取る画像読取機能を具備する。図２においては、この画像形成装置１における主に機械的構成が記載されている。この画像形成装置１においては、特に用紙（媒体）や原稿の紙詰まりが発生した場合の対処が容易となる。ここで、画像が形成される媒体や画像が読み込まれる原稿の主体は紙でない場合もあるが、ここでは、こうした媒体や原稿が搬送経路で詰まったために動作が不可となった状態を紙詰まりと呼称する。
【００１５】
図１において、印刷機能を実行するための機構は、主に最も下側にある本体１０中に設けられており、本体１０の上部には、印刷後の用紙が出力される排紙部１１が設けられている。排紙部１１の上側には、画像読取機能を実行する際に原稿を光学的に読み取る動作を行う原稿読取部５０が設けられている。原稿読取部５０の上側には、画像が読み取られる原稿が載置される原稿載置部６１を上側に具備し、この原稿を原稿読取部５０まで１枚ずつ搬送する原稿給紙部６０が設けられる。原稿読取部５０の手前側には、この画像形成装置１における各種の情報を表示するディスプレイである表示部６５、ユーザーによる操作を受け付ける操作キーが多数配置された操作部６６が上向きに設けられる。このため、ユーザーは、表示部６５を見ながら操作部６６を操作し、この画像形成装置１に各種の動作を行わせることができる。なお、表示部６５は実際にはタッチパネルディスプレイであり、表示部６５内においても仮想的な操作キーが適宜表示され、この操作キーによる操作も行われる。なお、図１に示された構造は、従来より知られる画像形成装置（複合機）と変わるところはない。
【００１６】
図２において、本体１０の下部には、印刷が行われるべき用紙Ｐを多数収容した給紙部１２が設けられ、給紙ローラー１３、搬送ローラー１４を回転駆動することにより、用紙Ｐは給紙部１２から１枚ずつ上側に搬送される。図２においては、印刷が行われる際の用紙Ｐが搬送される流れが用紙搬送経路Ｒ１として破線で示されている。
【００１７】
本体１０における用紙搬送経路Ｒ１における下流側（給紙部１２の上側）には、トナーで構成された画像パターンが円筒形状の表面に形成される感光体ドラム１５が設けられ、用紙Ｐがこの感光体ドラム１５と転写ローラー１６で挟持されて上側に搬送される際に、この画像パターンが用紙Ｐの表面に転写される。感光体ドラム１５の表面にこのような画像パターンを形成するために、感光体ドラム１５の表面を一様に帯電させる帯電部１７、帯電後の感光体ドラム１５の表面をこの画像パターンで露光することによりこの表面にこの画像パターンに対応する電位分布を形成する露光ユニット１８、電位分布が付与された後のこの表面にトナーを供給する現像ユニット１９が設けられる。また、感光体ドラム１５の表面のトナーを除去して初期化するためのクリーニングユニット２０も設けられる。
【００１８】
画像パターンが転写された用紙Ｐは、その上側において高温に維持された定着ローラー２１で上側に搬送される際に加熱・加圧されることによって、上記の画像パターンが用紙Ｐに定着する。その後、用紙Ｐは排出ローラー２２によって排紙部１１に導かれて出力される。
【００１９】
画像の読み取りが行われるべき原稿Ｍは、、原稿給紙部６０の上部の原稿載置部６１に載置され、原稿搬送ローラー６２、６３等を用いて、図２における破線で示された原稿搬送経路Ｒ２で搬送され、原稿読取部５０において照明や撮像素子が設けられた画像読取部５１上を通過する。画像読取部５１は、スリット（図示せず)を介して原稿Ｍを下側から撮像し、原稿Ｍの移動に伴って、原稿Ｍの全面を撮像した画像データを取得する。その後、読み取られた原稿Ｍは、原稿排出部６４に導かれる。
【００２０】
ここで、この画像形成装置１においては、給紙ローラー１３の近傍、転写ローラー１６の近傍、定着ローラー２１の近傍、排出ローラー２２の近傍、原稿搬送ローラー６３の近傍に、それぞれエラー表示部７０Ａ、７０Ｂ、７０Ｃ、７０Ｄ、７０Ｅがそれぞれ設置されている。エラー表示部７０Ａ〜７０Ｅはそれぞれが発光ダイオード（ＬＥＤ）で構成される。また、エラー表示部７０Ａ〜７０Ｅのそれぞれに隣接して、ＩＣタグ（無線通信タグ）７１Ａ〜７１Ｅが設置されている。
【００２１】
図３は、この画像形成装置１における制御に関わる構成を示す図である。ここでは、全体の制御を行うためのＣＰＵを具備する制御部１００が設けられる。画像形成機構１１０は、図２における感光体ドラム１５、転写ローラー１６、帯電部１７、露光ユニット１８、現像ユニット１９、クリーニングユニット２０等で構成され、用紙Ｐに画像を形成、定着させるために機能する。また、用紙搬送機構１２０は、図２における給紙ローラー１３、搬送ローラー１４、排出ローラー２２等で構成され、画像形成機構１１０に適正に用紙Ｐを搬送し、かつ印刷後の用紙Ｐを適正に排出するように機能する。制御部１００は、印刷動作を行わせる際には、画像形成機構１１０、用紙搬送機構１２０を適正に制御する。
【００２２】
また、同様に、画像読取部５１等で構成される原稿読取機構１３０は、上記のように原稿Ｍから画像データを取得し、原稿搬送ローラー６２、６３等で構成される原稿搬送機構１４０は、原稿Ｍの読取動作を行わせる際に、制御部１００によって適正に制御される。
【００２３】
制御部１００は、操作部６６による操作を認識することによって、上記の印刷動作、読取動作を行わせる。この際、必要な情報を表示させるため、あるいは上記のように仮想的な操作キーを表示させるために表示部６５が用いられる。また、上記のように入手された画像データを初めとする各種のデータを記憶するハードディスクや不揮発性メモリで構成された記憶部１５０が設けられる。また、特に上記の印刷動作は、ネットワークを介して接続されたコンピューターが送信した印刷ジョブに基づいて行われる場合が多く、このために、ネットワークと接続するためのインターフェースとなるネットワーク接続部１６０も設けられる。
【００２４】
また、図２においては記載は省略されているが、用紙搬送経路Ｒ１、原稿搬送経路Ｒ２中における複数の箇所には、用紙Ｐや原稿Ｍの存在を検知するセンサが設けられている。また、制御部１００は、用紙Ｐの搬送のために給紙ローラー１３等（用紙搬送機構１２０）を回転駆動するモーターの回転の状況を認識することができる。このため、例えば給紙ローラー１３が適切に回転せず、かつ用紙搬送経路Ｒ１における給紙ローラー１３近傍で用紙Ｐが検知され続けた場合には、制御部１００は、給紙ローラー１３の近傍で紙（用紙Ｐ）詰まりが発生したと認識することができる。用紙搬送経路Ｒ１における他の箇所、原稿搬送経路Ｒ２における各箇所で紙詰まりが発生した場合においても同様である。このように紙詰まりが発生したと認識された場合には、制御部１００は、この画像形成装置１における動作を停止させることができる。すなわち、制御部１００は、用紙搬送経路Ｒ１、原稿搬送経路Ｒ２において紙詰まりが発生した場合に、紙詰まりが発生した旨と、用紙搬送経路Ｒ１、原稿搬送経路Ｒ２中のどの領域で紙詰まりが発生したかを認識することができる。こうした点については、従来の画像形成装置と同様である。
【００２５】
従来の画像形成装置においては、こうした場合に、画像形成装置の動作が停止すると共に、どの領域で紙詰まりが発生したか、例えば給紙ローラー１３付近で紙詰まりが発生した旨の表示が表示部で行われる。この画像形成装置１においては、このように給紙ローラー１３の近傍で紙詰まりが発生したと認識された場合には、制御部１００は、表示部６５で同様の表示を行わせると共に、給紙ローラー１３の近傍のエラー表示部７０Ａを点灯させる。同様に、制御部１００は、転写ローラー１６の近傍、定着ローラー２１の近傍、排出ローラー２２の近傍、原稿搬送ローラー６３の近傍で紙詰まりが発生したと認識した場合には、それぞれの近傍のエラー表示部７０Ｂ、７０Ｃ、７０Ｄ、７０Ｅを点灯させる。エラー表示部７０Ａ〜７０Ｅは、紙詰まりが認められずこの画像形成装置１が正常に動作している際には点灯しない。このため、ユーザーは、紙詰まりが発生した場合に、筐体を開きエラー表示部７０Ａ〜７０Ｅを目視できる状態とすれば、紙詰まりが発生した箇所を視覚的に容易に認識することができる。紙詰まりが発生した箇所が表示部６５の近傍であれば、ユーザーは、表示部６５の表示と紙詰まりが発生した箇所を同時に視野に入れることができるために、エラー表示部７０Ａ〜７０Ｅの表示によらなくとも、紙詰まりが発生した箇所の認識は可能である。これに対して、紙詰まりが発生した箇所が表示部６５から遠い場合（例えば給紙ローラー１３の近傍である場合）には、エラー表示部７０Ａによる表示は特に有効である。
【００２６】
ＩＣタグ７１Ａ〜７１Ｅは、同一仕様のＮＦＣタグ（ＩＣタグ７１）であり、図４にその簡略化した構成を示す。ＩＣタグ７１は、小型のチップであり、エラー表示部７０Ａ〜７０Ｅの近傍に貼付することができる。ただし、エラー表示部７０Ａ〜７０Ｅは制御部１００と接続され制御部１００によってその点灯が制御されるのに対して、ＩＣタグ７１Ａ〜７１Ｅ（７１）は制御部１００とは電気的に接続されず、制御部１００によって制御はされない。ＩＣタグ７１はパッシブタグであり電池や外部との有線での接続を有さず、独立した５つのＩＣタグ７１をそれぞれ所定の箇所に貼付してエラー表示部７０Ａ〜７０Ｅとすることができる。
【００２７】
このため、ＩＣタグ７１には、アンテナ７１１と、アンテナ７１１で受信した高周波信号から直流電力を取り出す電源回路７１２が設けられる。電源回路７１２で得られた電力は、アンテナ７１１を介して近距離通信（ＮＦＣ）を行う近距離通信部７１３、ＩＣタグ７１全体の制御を行うタグ制御部７１４に供給される。また、不揮発性メモリで構成されたタグ記憶部７１５が設けられる。ＩＣタグ７１の構成は、通常用いられるＮＦＣタグと同様である。このため、ＩＣタグ７１は、ＮＦＣ機能を具備する携帯端末２００（スマートフォン等）と近距離通信をすることができる。このような近距離通信が可能となる距離は例えば１０ｃｍ程度である。
【００２８】
ここで、タグ記憶部７１５には、文字や文字に画像が含まれて構成された情報である対処情報が記憶される。対処情報には、ＩＣタグ７１Ａ〜７１Ｅが設置された箇所で紙詰まりが発生した場合（対応するエラー表示部７０Ａ〜７０Ｅで点灯した場合）における対処法が記載されている。この内容は、ＩＣタグ７１Ａ〜７１Ｅののそれぞれにおいて異なり、この対処情報がそれぞれのタグ記憶部７１５に記憶された状態で、ＩＣタグ７１Ａ〜７１Ｅは設置（貼付）される。
【００２９】
この画像形成装置１においては、用紙搬送経路Ｒ１又は原稿搬送経路Ｒ２中のいずれかの箇所で紙詰まりが発生して動作が停止した場合に、エラー表示部７０Ａ〜７０Ｅのいずれかが点灯することによって、ユーザーは紙詰まりが発生した箇所を認識することができ、例えばエラー表示部７０Ａが点灯した場合、ユーザーは、給紙ローラー１３の近傍で紙詰まりが発生したと認識することができる。その後、ユーザーは、エラー表示部７０Ａに隣接するＩＣタグ７１Ａと自身が保持する携帯端末２００との間で近距離通信を行い、ＩＣタグ７１Ａからタグ記憶部７１５に記憶された対処情報を入手することができる。この際には通信可能な距離が短い近距離通信が用いられるため、携帯端末２００が他のＩＣタグ７１Ｂ〜７１Ｅから対処情報を入手することは抑制される。ユーザーは、携帯端末２００の端末表示部２１０を用いて入手した対処情報を閲覧することができ、これに従って紙詰まりの処理を行うことができる。
【００３０】
この際、ユーザーは、画像形成装置１の表示部６５を見ずに、端末側表示部２１０のみを見て、この処理を行うことができる。この際において、携帯端末２００により読み込まれるのはＩＣタグ７１Ａが設置された箇所における紙詰まりに対応した対処情報のみであるため、不要な対処情報は携帯端末２００側には存在せず、作業が容易となる。また、ユーザーは、端末側表示部２１０における表示を任意の箇所、任意の姿勢で見ることができるため、図２において特に表示部６５から離間した箇所である給紙ローラー１３の近傍で紙詰まりが発生した場合においても、その対処を特に容易に行うことができる。上記の例では図１、２に示された画像形成装置１が用いられたが、こうした構成は、より規模が大きく複雑な構成を具備する画像形成装置（画像処理装置）において、特に有効である。
【００３１】
この際、エラー表示部は例えば安価、小型のＬＥＤを用いて容易に実現することができ、その設置も容易である。一方、ＩＣタグ７１は、前記の通り同一仕様のものを多数製造し、タグ記憶部７１５に記憶させる対処情報として個別のものを記憶させることによって互いに区別される。また、前記の通り、ＩＣタグ７１は、エラー表示部の近傍に貼付することによって設置され、これに対する電気的接続等は不要である。このため、上記の画像形成装置１を安価に得ることができる。
【００３２】
図２の構成においては、用紙搬送経路Ｒ１における紙詰まりは、（１）給紙ローラー１３の近傍、（２）転写ローラー１６の近傍、（３）定着ローラー２１の近傍、（４）排出ローラー２２の近傍の４箇所、原稿搬送路Ｒ２における（５）原稿搬送ローラー６３の近傍の１箇所、で認識された。すなわち、紙詰まりについての認識、対処は用紙搬送経路Ｒ１を４つに区分した領域、原稿搬送経路Ｒ２全体とした一つの領域において行われた。しかしながら、こうした紙詰まりの認識のために搬送経路を区分した領域の数を多くし、上記のエラー表示部、ＩＣタグを、この領域毎に設けることにより、紙詰まりが発生した場合における対処をより容易とすることができる。
【００３３】
特に画像処理装置における搬送経路が長く複雑な場合には、紙詰まりの認識のために搬送経路を区分した領域の数をこれに応じて多くすることが好ましい。一方、搬送経路が複雑である場合には、これに応じて特にＩＣタグ７１を貼付する場所を確保することが困難となる場合もある。このため、上記のエラー表示部、ＩＣタグ７１の数を、上記のように設定された領域の数よりも少なく設定してもよい。
【００３４】
この場合には、制御部１００は、どの領域で紙詰まりが発生したらどのエラー表示部を点灯させるかを予め設定することができる。この場合においては、紙詰まりが発生した領域とエラー表示部との間の距離に基づき、この距離が最も短いエラー表示部を点灯させることができる。この場合、エラー表示部に対応して設けられるＩＣタグ７１に記憶させる対処情報としては、紙詰まりが発生した場合にこのエラー表示部を点灯させる領域の全てに関するものが用いられる。この際、例えばタグ記憶部７１５に複数の対処情報を記憶させ、携帯端末２００がタグ記憶部７１５に記憶された全ての対処情報をＩＣタグ７１から入手し、制御部１００は、表示部６５において、そのうちのどれを選択すべきかを表示させてもよい。この場合には、ユーザーは、紙詰まりが発生した場合には、表示部６５の表示を１回見た後で、上記と同様に携帯端末２００のみを用いて紙詰まりの対処を行うことができる。この際、携帯端末２００が通信により接続される対象が個々のＩＣタグ７１のみであり、画像処理装置と携帯端末２００とが接続される必要はない。
【００３５】
なお、上記の構成において、紙詰まりが発生した場合にエラー表示部（ＬＥＤ）が点灯するものとした。しかしながら、この設定は任意であり、例えば正常動作時にはエラー表示部が点灯し、紙詰まりが発生した箇所ではエラー表示部が消灯する設定としてもよい。また、ユーザーが警報として確認できる限りにおいて、その表示方法は任意である。
【００３６】
また、上記の例では、用紙搬送経路Ｒ１と原稿搬送経路Ｒ２を具備する画像形成装置１が用いられたが、画像が形成される用紙や、画像が読み取られる原稿が装置内で搬送される画像処理装置であれば、上記の構成が有効であることは明らかである。
【符号の説明】
【００３７】
１  画像形成装置（画像処理装置）
１０  本体
１１  排紙部
１２  給紙部
１３  給紙ローラー
１４  搬送ローラー
１５  感光体ドラム
１６  転写ローラー
１７  帯電部
１８  露光ユニット
１９  現像ユニット
２０  クリーニングユニット
２１  定着ローラー
２２  排出ローラー
５０  原稿読取部
５１  画像読取部
６０  原稿給紙部
６１  原稿載置部
６２、６３  原稿搬送ローラー
６４  原稿排出部
６５  表示部
６６  操作部
７０Ａ〜７０Ｅ  エラー表示部
７１、７１Ａ〜７１Ｅ  ＩＣタグ（無線通信タグ）
１００  制御部
１１０  画像形成機構
１２０  用紙搬送機構
１３０  原稿読取機構
１４０  原稿搬送機構
１５０  記憶部
１６０  ネットワーク接続部
２００  携帯端末
２１０  端末表示部
７１１  アンテナ
７１２  電源回路
７１３  近距離通信部
７１４  タグ制御部
７１５  タグ記憶部
Ｍ  原稿
Ｐ  用紙
Ｒ１  用紙搬送経路
Ｒ２  原稿搬送経路
【図１】
2020047987.tif 000003
【図２】
2020047987.tif 000004
【図３】
2020047987.tif 000005
【図４】
2020047987.tif 000006